(57)【特許請求の範囲】
【請求項１】
少なくとも１枚のレンズ素子で構成されたレンズ群を複数有するズームレンズ系であって、
物体側から像側へと順に、前群と後群とから構成され、
前記後群が、物体側から像側へと順に、
後続第１レンズ群と、
負のパワーを有し、無限遠合焦状態から近接物体合焦状態へのフォーカシングの際に光軸に沿って移動するフォーカシングレンズ群である後続第２レンズ群と
を有し、
前記フォーカシングレンズ群の像側に、少なくとも１つの正のパワーを有するレンズ群を備え、
前記後続第１レンズ群が、
負のパワーを有する第１Ｎサブレンズ群と、
正のパワーを有する第１Ｐサブレンズ群と
で構成され、
広角端から望遠端へのズーミングの際に、前記第１Ｎサブレンズ群と前記第１Ｐサブレンズ群との間隔が変化せず、
前記第１Ｐサブレンズ群が、像ぶれを光学的に補正するために光軸に対して垂直方向に移動する像ぶれ補正レンズ群であり、
前記後群が、最物体側に開口絞りをさらに備え、前記像ぶれ補正レンズ群が、該開口絞りよりも像側に配置される、ズームレンズ系。
【請求項２】
以下の条件（１）を満足する、請求項１に記載のズームレンズ系：
０．２＜｜ｆＦＲ１／ｆＷ｜＜１．２  ・・・（１）
ここで、
ｆＦＲ１：後続第１レンズ群の焦点距離、
ｆＷ：広角端における全系の焦点距離
である。
【請求項３】
前群が、物体側から像側へと順に、正のパワーを有する第１レンズ群と、第２レンズ群とを少なくとも有し、以下の条件（２）を満足する、請求項１に記載のズームレンズ系：
６．２＜｜ｆ１／ｆＦＲ｜＜７．１ ・・・（２）
ここで、
ｆ１：第１レンズ群の焦点距離、
ｆＦＲ：広角端における後群の合成焦点距離
である。
【請求項４】
以下の条件（３）を満足する、請求項１に記載のズームレンズ系：
０．０１＜ＤＩＦ／ｆＷ＜０．１６  ・・・（３）
ここで、
ＤＩＦ：広角端における、無限遠合焦状態での像ぶれ補正レンズ群とフォーカシングレンズ群との光軸上の間隔、
ｆＷ：広角端における全系の焦点距離
である。
【請求項５】
以下の条件（４）を満足する、請求項１に記載のズームレンズ系：
０．１＜ｆＦＲ１Ｐ／ｆＷ＜７．５  ・・・（４）
ここで、
ｆＦＲ１Ｐ：第１Ｐサブレンズ群の焦点距離、
ｆＷ：広角端における全系の焦点距離
である。
【請求項６】
広角端から望遠端へのズーミングの際に、第２レンズ群が像面に対して固定されている、請求項３に記載のズームレンズ系。
【請求項７】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項８】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体とを備える、カメラシステム。
【発明の詳細な説明】
【技術分野】
【０００１】
本発明は、ズームレンズ系、交換レンズ装置及びカメラシステムに関する。特に本発明は、いわゆるレンズ交換式デジタルカメラシステムの撮像レンズ系として好適なズームレンズ系、該ズームレンズ系を含む交換レンズ装置及びカメラシステムに関する。
【背景技術】
【０００２】
近年、レンズ交換式デジタルカメラシステムが急速に普及している。レンズ交換式デジタルカメラシステム（以下、単に「カメラシステム」ともいう）は、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子を有するカメラ本体と、撮像素子の受光面に光学像を形成するための撮像レンズ系を備えた交換レンズ装置とを備える。
【０００３】
レンズ交換式デジタルカメラシステムには、コンパクト型デジタルカメラに搭載されるものよりも大型の撮像素子が用いられるので、高感度で高画質な画像を撮影することができる。また、レンズ交換式デジタルカメラシステムには、フォーカシングや撮影後の画像処理が高速で、撮りたい場面に合わせて手軽に交換レンズ装置を取り替えることができる等の利点もある。さらに、光学像を変倍可能に形成するズームレンズ系を備えた交換レンズ装置は、レンズ交換をすることなく焦点距離を自在に変化させることができる点で人気がある。したがって、従来より、例えば特許文献１〜１２に開示されたズームレンズ系のように、レンズ交換式デジタルカメラシステムの撮像レンズ系として利用し得るズームレンズ系が種々提案されている。
【先行技術文献】
【特許文献】
【０００４】
【特許文献１】特開２００９−２６５６５２号公報
【特許文献２】特開２００９−２６５６５３号公報
【特許文献３】特開２００９−２６５６５４号公報
【特許文献４】特開２００９−２６５６５５号公報
【特許文献５】特開２００９−２６５６５６号公報
【特許文献６】特開２００９−２６５６５７号公報
【特許文献７】特開２００９−２４４４４５号公報
【特許文献８】特開２００２−２９６５０２号公報
【特許文献９】国際公開第２００７／０１０８６２号パンフレット
【特許文献１０】国際公開第２００７／０１０８２２号パンフレット
【特許文献１１】特開２００９−１５７０６７号公報
【特許文献１２】特開２００８−１３４３３４号公報
【発明の概要】
【発明が解決しようとする課題】
【０００５】
レンズ交換式デジタルカメラシステムには、上述した様々な利点がある一方で、コンパクト型デジタルカメラと比べると、サイズや重量が大きい。持ち運びや取り回しを容易に行うには、サイズや重量はできるだけ小さいことが好ましい。したがって、レンズ交換式デジタルカメラシステム用のズームレンズ系にも、結像性能を維持しつつ、可能な限りコンパクトで軽量であることが求められる。
【０００６】
本発明の目的は、レンズ交換式デジタルカメラシステムに好適に用いることができ、サイズが小さく軽量で、結像性能に優れたズームレンズ系を提供することである。また、本発明の他の目的は、サイズが小さく軽量な交換レンズ装置及びカメラシステムを提供することである。
【課題を解決するための手段】
【０００７】
上記目的の１つは、以下のズームレンズ系により達成される。すなわち本発明は、
少なくとも１枚のレンズ素子で構成されたレンズ群を複数有するズームレンズ系であって、
物体側から像側へと順に、前群と後群とから構成され、
前記後群が、物体側から像側へと順に、
後続第１レンズ群と、
負のパワーを有し、無限遠合焦状態から近接物体合焦状態へのフォーカシングの際に光軸に沿って移動するフォーカシングレンズ群である後続第２レンズ群と
を有し、
前記フォーカシングレンズ群の像側に、少なくとも１つの正のパワーを有するレンズ群を備え、
前記後続第１レンズ群が、
負のパワーを有する第１Ｎサブレンズ群と、
正のパワーを有する第１Ｐサブレンズ群と
で構成され、
広角端から望遠端へのズーミングの際に、前記第１Ｎサブレンズ群と前記第１Ｐサブレンズ群との間隔が変化せず、
前記第１Ｐサブレンズ群が、像ぶれを光学的に補正するために光軸に対して垂直方向に移動する像ぶれ補正レンズ群であり、
前記後群が、最物体側に開口絞りをさらに備え、前記像ぶれ補正レンズ群が、該開口絞りよりも像側に配置される、ズームレンズ系
に関する。
【０００８】
上記目的の１つは、以下の交換レンズ装置により達成される。すなわち本発明は、
少なくとも１枚のレンズ素子で構成されたレンズ群を複数有し、
物体側から像側へと順に、前群と後群とから構成され、
前記後群が、物体側から像側へと順に、
後続第１レンズ群と、
負のパワーを有し、無限遠合焦状態から近接物体合焦状態へのフォーカシングの際に光軸に沿って移動するフォーカシングレンズ群である後続第２レンズ群と
を有し、
前記フォーカシングレンズ群の像側に、少なくとも１つの正のパワーを有するレンズ群を備え、
前記後続第１レンズ群が、
負のパワーを有する第１Ｎサブレンズ群と、
正のパワーを有する第１Ｐサブレンズ群と
で構成され、
広角端から望遠端へのズーミングの際に、前記第１Ｎサブレンズ群と前記第１Ｐサブレンズ群との間隔が変化せず、
前記第１Ｐサブレンズ群が、像ぶれを光学的に補正するために光軸に対して垂直方向に移動する像ぶれ補正レンズ群であり、
前記後群が、最物体側に開口絞りをさらに備え、前記像ぶれ補正レンズ群が、該開口絞りよりも像側に配置されるズームレンズ系と、
前記ズームレンズ系が形成する光学像を受光して電気的な画像信号に変換する撮像素子を含むカメラ本体との接続が可能なレンズマウント部とを備える、交換レンズ装置
に関する。
【０００９】
上記目的の１つは、以下のカメラシステムにより達成される。すなわち本発明は、
少なくとも１枚のレンズ素子で構成されたレンズ群を複数有し、
物体側から像側へと順に、前群と後群とから構成され、
前記後群が、物体側から像側へと順に、
後続第１レンズ群と、
負のパワーを有し、無限遠合焦状態から近接物体合焦状態へのフォーカシングの際に光軸に沿って移動するフォーカシングレンズ群である後続第２レンズ群と
を有し、
前記フォーカシングレンズ群の像側に、少なくとも１つの正のパワーを有するレンズ群を備え、
前記後続第１レンズ群が、
負のパワーを有する第１Ｎサブレンズ群と、
正のパワーを有する第１Ｐサブレンズ群と
で構成され、
広角端から望遠端へのズーミングの際に、前記第１Ｎサブレンズ群と前記第１Ｐサブレンズ群との間隔が変化せず、
前記第１Ｐサブレンズ群が、像ぶれを光学的に補正するために光軸に対して垂直方向に移動する像ぶれ補正レンズ群であり、
前記後群が、最物体側に開口絞りをさらに備え、前記像ぶれ補正レンズ群が、該開口絞りよりも像側に配置されるズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体とを備える、カメラシステム
に関する。
【発明の効果】
【００１０】
本発明によれば、サイズが小さく軽量で、結像性能に優れたズームレンズ系、該ズームレンズ系を含む交換レンズ装置及びカメラシステムを実現することができる。
【図面の簡単な説明】
【００１１】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４に係るレンズ交換式デジタルカメラシステムの概略構成図
【発明を実施するための形態】
【００１２】
図１、４及び７は、それぞれ実施の形態１、２及び３に係るズームレンズ系のレンズ配置図であり、いずれも無限遠合焦状態にあるズームレンズ系を表している。
【００１３】
各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１４】
各図において、各レンズ群の符号に付された記号（＋）及び記号（−）は、各レンズ群のパワーの符号に対応する。また各図において、最も右側に記載された直線は、像面Ｓの位置を表す。さらに図１に示すように、第４レンズ群Ｇ４内には開口絞りＡが設けられており、図４及び７に示すように、第５レンズ群Ｇ５内には開口絞りＡが設けられている。
【００１５】
（実施の形態１）
実施の形態１に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、負のパワーを有する第５レンズ群Ｇ５と、正のパワーを有する第６レンズ群Ｇ６とを備える。
【００１６】
第１レンズ群Ｇ１は、物体側から像側へと順に、両凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００１７】
第２レンズ群Ｇ２は、物体側から像側へと順に、両凹形状の第４レンズ素子Ｌ４と、物体側に凸面を向けた正メニスカス形状の第５レンズ素子Ｌ５とからなる。第４レンズ素子Ｌ４と第５レンズ素子Ｌ５とは互いに接合されている。
【００１８】
第３レンズ群Ｇ３は、物体側から像側へと順に、両凸形状の第６レンズ素子Ｌ６と、両凹形状の第７レンズ素子Ｌ７と、両凸形状の第８レンズ素子Ｌ８とからなる。第６レンズ素子Ｌ６と第７レンズ素子Ｌ７とは互いに接合されている。
【００１９】
第４レンズ群Ｇ４は、物体側から像側へと順に、開口絞りＡと、物体側に凸面を向けた負メニスカス形状の第９レンズ素子Ｌ９と、両凸形状の第１０レンズ素子Ｌ１０と、両凸形状の第１１レンズ素子Ｌ１１とからなる。第９レンズ素子Ｌ９と第１０レンズ素子Ｌ１０とは互いに接合されている。
【００２０】
第５レンズ群Ｇ５は、物体側から像側へと順に、像側に凹面を向けた平凹形状の第１２レンズ素子Ｌ１２と、像側に凸面を向けた正メニスカス形状の第１３レンズ素子Ｌ１３と、両凹形状の第１４レンズ素子Ｌ１４と、物体側に凸面を向けた正メニスカス形状の第１５レンズ素子Ｌ１５と、両凹形状の第１６レンズ素子Ｌ１６と、両凸形状の第１７レンズ素子Ｌ１７と、両凹形状の第１８レンズ素子Ｌ１８とからなる。第１３レンズ素子Ｌ１３と第１４レンズ素子Ｌ１４とは互いに接合されており、第１６レンズ素子Ｌ１６と第１７レンズ素子Ｌ１７とは互いに接合されている。
【００２１】
第６レンズ群Ｇ６は、像側に凸面を向けた平凸形状の第１９レンズ素子Ｌ１９のみからなる。
【００２２】
実施の形態１に係るズームレンズ系では、広角端から望遠端へのズーミングに際して、第１レンズ群Ｇ１と第２レンズ群Ｇ２との間隔が広角端よりも望遠端で長くなり、第２レンズ群Ｇ２と第３レンズ群Ｇ３との間隔が広角端よりも望遠端で長くなり、第３レンズ群Ｇ３と第４レンズ群Ｇ４との間隔が広角端よりも望遠端で短くなり、第４レンズ群Ｇ４と第５レンズ群Ｇ５との間隔が広角端よりも望遠端で短くなり、第５レンズ群Ｇ５と第６レンズ群Ｇ６との間隔が広角端よりも望遠端で長くなるように、第１レンズ群Ｇ１、第３レンズ群Ｇ３、第４レンズ群Ｇ４及び第５レンズ群Ｇ５が光軸に沿って移動する。第２レンズ群Ｇ２及び第６レンズ群Ｇ６は、ズーミングの際に像面Ｓに対して固定されている。また、開口絞りＡは、第４レンズ群Ｇ４と共に光軸に沿って移動する。
【００２３】
実施の形態１に係るズームレンズ系において、第５レンズ群Ｇ５は、物体側から像側へと順に、負のパワーを有するサブレンズ群Ｇ５Ａ（第１２レンズ素子Ｌ１２、第１３レンズ素子Ｌ１３及び第１４レンズ素子Ｌ１４）と、正のパワーを有するサブレンズ群Ｇ５Ｂ（第１５レンズ素子Ｌ１５）と、負のパワーを有するサブレンズ群Ｇ５Ｃ（第１６レンズ素子Ｌ１６、第１７レンズ素子Ｌ１７及び第１８レンズ素子Ｌ１８）とで構成される。ここで、サブレンズ群とは、１つのレンズ群が複数のレンズ素子で構成されている場合に、該レンズ群に含まれるいずれか１枚のレンズ素子又は隣り合った複数のレンズ素子の組み合わせをいう。広角端から望遠端へのズーミングの際に、サブレンズ群Ｇ５Ａとサブレンズ群Ｇ５Ｂとの間隔は変化せず、サブレンズ群Ｇ５Ｂとサブレンズ群Ｇ５Ｃとの間隔も変化しない。
【００２４】
実施の形態１に係るズームレンズ系では、光学系が振動した際の像ぶれを補正するために、サブレンズ群Ｇ５Ａ（第１Ｎサブレンズ群）を光軸に対して垂直方向に移動させる。像ぶれ補正を開口絞りＡよりも像側の負のパワーを有するレンズ群で行うことにより、像ぶれ補正レンズ群のレンズ径を小さくすることができる。サブレンズ群Ｇ５Ａは、２枚以上のレンズ素子で構成されることが望ましい。この場合、望遠端における像ぶれ補正時の色収差を良好に補正することができると共に、広角端における像面の倒れを良好に維持することができる。さらに、像ぶれ補正レンズ群よりも像側に少なくとも１つの正のパワーを有するレンズ群を配置することにより、像ぶれ補正時の光学性能を良好に維持することができる。
【００２５】
なお、負のパワーを有するサブレンズ群Ｇ５Ａのかわりに、正のパワーを有するサブレンズ群Ｇ５Ｂを光軸に対して垂直方向に移動させ、像ぶれ補正を行ってもよい。この場合、像ぶれ補正レンズ群の軽量化を図ることができると共に、像ぶれ補正機構の小型化により、レンズ鏡筒の外径を小さくすることが可能になる。さらに、サブレンズ群Ｇ５Ｂで像ぶれ補正を行う際には、該サブレンズ群Ｇ５Ｂが、２枚のレンズ素子を接合させた接合レンズ素子で構成されていることがより好ましい。この場合、像ぶれ補正時の色収差を良好に維持することができる。
【００２６】
実施の形態１に係るズームレンズ系では、無限遠合焦状態から近接物体合焦状態へのフォーカシングの際に、前記サブレンズ群Ｇ５Ｃ（後続第２レンズ群）が光軸に沿って像側へ移動する。実施の形態１に係るズームレンズ系ではサブレンズ群Ｇ５Ｃが２枚以上のレンズ素子で構成されているので、フォーカシングの際に、望遠端における色収差を良好に補正することができる。さらにフォーカシングレンズ群であるサブレンズ群Ｇ５Ｃは、開口絞りＡよりも像側に位置し、負のパワーを有しているので、軽量化を図ることができ、そのレンズ径を小さくすることができる。その結果、レンズ鏡筒の外径を小さくすることができる。
【００２７】
（実施の形態２）
実施の形態２に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、正のパワーを有する第５レンズ群Ｇ５と、負のパワーを有する第６レンズ群Ｇ６と、負のパワーを有する第７レンズ群Ｇ７と、正のパワーを有する第８レンズ群Ｇ８とを備える。
【００２８】
第１レンズ群Ｇ１は、物体側から像側へと順に、物体側に凸面を向けた平凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００２９】
第２レンズ群Ｇ２は、物体側から像側へと順に、両凹形状の第４レンズ素子Ｌ４と、物体側に凸面を向けた正メニスカス形状の第５レンズ素子Ｌ５とからなる。第４レンズ素子Ｌ４と第５レンズ素子Ｌ５とは互いに接合されている。
【００３０】
第３レンズ群Ｇ３は、物体側から像側へと順に、両凸形状の第６レンズ素子Ｌ６と、両凹形状の第７レンズ素子Ｌ７とからなる。
【００３１】
第４レンズ群Ｇ４は、両凸形状の第８レンズ素子Ｌ８のみからなる。
【００３２】
第５レンズ群Ｇ５は、物体側から像側へと順に、開口絞りＡと、物体側に凸面を向けた負メニスカス形状の第９レンズ素子Ｌ９と、両凸形状の第１０レンズ素子Ｌ１０と、物体側に凸面を向けた正メニスカス形状の第１１レンズ素子Ｌ１１とからなる。第９レンズ素子Ｌ９と第１０レンズ素子Ｌ１０とは互いに接合されている。
【００３３】
第６レンズ群Ｇ６は、物体側から像側へと順に、物体側に凸面を向けた正メニスカス形状の第１２レンズ素子Ｌ１２と、像側に凹面を向けた平凹形状の第１３レンズ素子Ｌ１３と、両凸形状の第１４レンズ素子Ｌ１４と、像側に凸面を向けた負メニスカス形状の第１５レンズ素子Ｌ１５とからなる。
【００３４】
第７レンズ群Ｇ７は、物体側から像側へと順に、物体側に凸面を向けた負メニスカス形状の第１６レンズ素子Ｌ１６と、両凸形状の第１７レンズ素子Ｌ１７と、両凹形状の第１８レンズ素子Ｌ１８とからなる。第１６レンズ素子Ｌ１６と第１７レンズ素子Ｌ１７とは互いに接合されている。
【００３５】
第８レンズ群Ｇ８は、両凸形状の第１９レンズ素子Ｌ１９のみからなる。
【００３６】
実施の形態２に係るズームレンズ系では、広角端から望遠端へのズーミングの際に、第１レンズ群Ｇ１と第２レンズ群Ｇ２との間隔が広角端よりも望遠端で長くなり、第２レンズ群Ｇ２と第３レンズ群Ｇ３との間隔が広角端よりも望遠端で短くなり、第３レンズ群Ｇ３と第４レンズ群Ｇ４との間隔が広角端よりも望遠端で長くなり、第４レンズ群Ｇ４と第５レンズ群Ｇ５との間隔が広角端よりも望遠端で短くなり、第５レンズ群Ｇ５と第６レンズ群Ｇ６との間隔が広角端よりも望遠端で短くなり、第６レンズ群Ｇ６と第７レンズ群Ｇ７との間隔が広角端よりも望遠端で短くなり、第７レンズ群Ｇ７と第８レンズ群Ｇ８との間隔が広角端よりも望遠端で長くなるように、第１レンズ群Ｇ１、第３レンズ群Ｇ３、第４レンズ群Ｇ４、第５レンズ群Ｇ５、第６レンズ群Ｇ６及び第７レンズ群Ｇ７が光軸に沿って移動する。第２レンズ群Ｇ２及び第８レンズ群Ｇ８は、ズーミングの際に像面Ｓに対して固定されている。また、開口絞りＡは、第５レンズ群Ｇ５と共に光軸に沿って移動する。
【００３７】
実施の形態２に係るズームレンズ系において、第６レンズ群Ｇ６は、物体側から像側へと順に、正のパワーを有するサブレンズ群Ｇ６Ａ（第１２レンズ素子Ｌ１２）と、負のパワーを有するサブレンズ群Ｇ６Ｂ（第１３レンズ素子Ｌ１３、第１４レンズ素子Ｌ１４及び第１５レンズ素子Ｌ１５）とで構成される。さらに、サブレンズ群Ｇ６Ｂの像側に隣接して負のパワーを有する第７レンズ群Ｇ７が配置されている。広角端から望遠端へのズーミングの際に、サブレンズ群Ｇ６Ａとサブレンズ群Ｇ６Ｂとの間隔は変化しないが、サブレンズ群Ｇ６Ｂと第７レンズ群Ｇ７との間隔は変化する。
【００３８】
実施の形態２に係るズームレンズ系では、光学系が振動した際の像ぶれを補正するために、サブレンズ群Ｇ６Ｂ（第１Ｎサブレンズ群）を光軸に対して垂直方向に移動させる。像ぶれ補正を開口絞りＡよりも像側の負のパワーを有するレンズ群で行うことにより、像ぶれ補正レンズ群のレンズ径を小さくすることができる。サブレンズ群Ｇ６Ｂは、２枚以上のレンズ素子で構成されることが望ましい。この場合、望遠端における像ぶれ補正時の色収差を良好に補正することができると共に、広角端における像面の倒れを良好に維持することができる。さらに、像ぶれ補正レンズ群よりも像側に少なくとも１つの正のパワーを有するレンズ群を配置することにより、像ぶれ補正時の光学性能を良好に維持することができる。
【００３９】
なお、負のパワーを有するサブレンズ群Ｇ６Ｂのかわりに、正のパワーを有するサブレンズ群Ｇ６Ａを光軸に対して垂直方向に移動させ、像ぶれ補正を行ってもよい。この場合、像ぶれ補正レンズ群の軽量化を図ることができると共に、像ぶれ補正機構の小型化により、レンズ鏡筒の外径を小さくすることが可能になる。さらに、サブレンズ群Ｇ６Ａで像ぶれ補正を行う際には、該サブレンズ群Ｇ６Ａが、２枚のレンズ素子を接合させた接合レンズ素子で構成されていることがより好ましい。この場合、像ぶれ補正時の色収差を良好に維持することができる。
【００４０】
実施の形態２に係るズームレンズ系では、無限遠合焦状態から近接物体合焦状態へのフォーカシングの際に、前記第７レンズ群Ｇ７（後続第２レンズ群）が光軸に沿って像側へ移動する。実施の形態２に係るズームレンズ系では第７レンズ群Ｇ７が２枚以上のレンズ素子で構成されているので、フォーカシングの際に、望遠端における色収差を良好に補正することができる。さらにフォーカシングレンズ群である第７レンズ群Ｇ７は、開口絞りＡよりも像側に位置し、負のパワーを有しているので、軽量化を図ることができ、そのレンズ径を小さくすることができる。その結果、レンズ鏡筒の外径を小さくすることができる。
【００４１】
（実施の形態３）
実施の形態３に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、負のパワーを有する第５レンズ群Ｇ５と、負のパワーを有する第６レンズ群Ｇ６と、正のパワーを有する第７レンズ群Ｇ７とを備える。
【００４２】
第１レンズ群Ｇ１は、物体側から像側へと順に、両凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００４３】
第２レンズ群Ｇ２は、物体側から像側へと順に、両凹形状の第４レンズ素子Ｌ４と、物体側に凸面を向けた正メニスカス形状の第５レンズ素子Ｌ５とからなる。
【００４４】
第３レンズ群Ｇ３は、物体側から像側へと順に、両凹形状の第６レンズ素子Ｌ６と、両凸形状の第７レンズ素子Ｌ７とからなる。
【００４５】
第４レンズ群Ｇ４は、物体側から像側へと順に、物体側に凸面を向けた負メニスカス形状の第８レンズ素子Ｌ８と、両凸形状の第９レンズ素子Ｌ９と、両凸形状の第１０レンズ素子Ｌ１０とからなる。
【００４６】
第５レンズ群Ｇ５は、物体側から像側へと順に、開口絞りＡと、物体側に凸面を向けた負メニスカス形状の第１１レンズ素子Ｌ１１と、像側に凸面を向けた正メニスカス形状の第１２レンズ素子Ｌ１２と、像側に凸面を向けた負メニスカス形状の第１３レンズ素子Ｌ１３と、両凸形状の第１４レンズ素子Ｌ１４とからなる。第１２レンズ素子Ｌ１２と第１３レンズ素子Ｌ１３とは互いに接合されている。
【００４７】
第６レンズ群Ｇ６は、物体側から像側へと順に、両凹形状の第１５レンズ素子Ｌ１５と、両凸形状の第１６レンズ素子Ｌ１６と、両凹形状の第１７レンズ素子Ｌ１７とからなる。第１５レンズ素子Ｌ１５と第１６レンズ素子Ｌ１６とは互いに接合されている。
【００４８】
第７レンズ群Ｇ７は、像側に凸面を向けた正メニスカス形状の第１８レンズ素子Ｌ１８のみからなる。
【００４９】
実施の形態３に係るズームレンズ系では、広角端から望遠端へのズーミングの際に、第１レンズ群Ｇ１と第２レンズ群Ｇ２との間隔が広角端よりも望遠端で長くなり、第２レンズ群Ｇ２と第３レンズ群Ｇ３との間隔が広角端よりも望遠端で長くなり、第３レンズ群Ｇ３と第４レンズ群Ｇ４との間隔が広角端よりも望遠端で短くなり、第４レンズ群Ｇ４と第５レンズ群Ｇ５との間隔が広角端よりも望遠端で短くなり、第５レンズ群Ｇ５と第６レンズ群Ｇ６との間隔が広角端よりも望遠端で短くなり、第６レンズ群Ｇ６と第７レンズ群Ｇ７との間隔が広角端よりも望遠端で長くなるように、第１レンズ群Ｇ１、第３レンズ群Ｇ３、第４レンズ群Ｇ４、第５レンズ群Ｇ５及び第６レンズ群Ｇ６が光軸に沿って移動する。第２レンズ群Ｇ２及び第７レンズ群Ｇ７は、ズーミングの際に像面Ｓに対して固定されている。また、開口絞りＡは、第５レンズ群Ｇ５と共に光軸に沿って移動する。
【００５０】
実施の形態３に係るズームレンズ系において、第５レンズ群Ｇ５は、物体側から像側へと順に、負のパワーを有するサブレンズ群Ｇ５Ａ（第１１レンズ素子Ｌ１１、第１２レンズ素子Ｌ１２及び第１３レンズ素子Ｌ１３）と、正のパワーを有するサブレンズ群Ｇ５Ｂ（第１４レンズ素子Ｌ１４）とで構成される。さらに、サブレンズ群Ｇ５Ｂの像側に隣接して負のパワーを有する第６レンズ群Ｇ６が配置されている。広角端から望遠端へのズーミングの際に、サブレンズ群Ｇ５Ａとサブレンズ群Ｇ５Ｂとの間隔は変化しないが、サブレンズ群Ｇ５Ｂと第６レンズ群Ｇ６との間隔は変化する。
【００５１】
実施の形態３に係るズームレンズ系では、光学系が振動した際の像ぶれを補正するために、サブレンズ群Ｇ５Ａ（第１Ｎサブレンズ群）を光軸に対して垂直方向に移動させる。像ぶれ補正を開口絞りＡよりも像側の負のパワーを有するレンズ群で行うことにより、像ぶれ補正レンズ群のレンズ径を小さくすることができる。サブレンズ群Ｇ５Ａは、２枚以上のレンズ素子で構成されることが望ましい。この場合、望遠端における像ぶれ補正時の色収差を良好に補正することができると共に、広角端における像面の倒れを良好に維持することができる。さらに、像ぶれ補正レンズ群よりも像側に少なくとも１つの正のパワーを有するレンズ群を配置することにより、像ぶれ補正時の光学性能を良好に維持することができる。
【００５２】
なお、負のパワーを有するサブレンズ群Ｇ５Ａのかわりに、正のパワーを有するサブレンズ群Ｇ５Ｂを光軸に対して垂直方向に移動させ、像ぶれ補正を行ってもよい。この場合、像ぶれ補正レンズ群の軽量化を図ることができると共に、像ぶれ補正機構の小型化により、レンズ鏡筒の外径を小さくすることが可能になる。さらに、サブレンズ群Ｇ５Ｂで像ぶれ補正を行う際には、該サブレンズ群Ｇ５Ｂが、２枚のレンズ素子を接合させた接合レンズ素子で構成されていることがより好ましい。この場合、像ぶれ補正時の色収差を良好に維持することができる。
【００５３】
実施の形態３に係るズームレンズ系では、無限遠合焦状態から近接物体合焦状態へのフォーカシングの際に、前記第６レンズ群Ｇ６（後続第２レンズ群）が光軸に沿って像側へ移動する。実施の形態３に係るズームレンズ系では第６レンズ群Ｇ６が２枚以上のレンズ素子で構成されているので、フォーカシングの際に、望遠端における色収差を良好に補正することができる。さらにフォーカシングレンズ群である第６レンズ群Ｇ６は、開口絞りＡよりも像側に位置し、負のパワーを有しているので、軽量化を図ることができ、そのレンズ径を小さくすることができる。その結果、レンズ鏡筒の外径を小さくすることができる。
【００５４】
実施の形態１〜３に係るズームレンズ系のように、広角端から望遠端へのズーミングの際に、第１レンズ群Ｇ１が光軸に沿って移動することが好ましい。第１レンズ群Ｇ１を可動群とすることにより、後続するレンズ群の光線高を小さくすることができる。この結果、後続するレンズ群の小型化を実現することができ、インナーフォーカス方式におけるフォーカシングレンズ群の小型化及び軽量化が可能になる。
【００５５】
実施の形態１〜３に係るズームレンズ系のように、フォーカシングレンズ群の像側に、少なくとも１つの正のパワーを有するレンズ群を配置することが望ましい。この場合、近接物体合焦状態における光学性能を良好に維持することができる。さらに、撮像面に入射する光線角度の増大を抑えることも可能になる。
【００５６】
以下、例えば実施の形態１〜３に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００５７】
例えば実施の形態１〜３に係るズームレンズ系のように、少なくとも１枚のレンズ素子で構成されたレンズ群を複数有し、物体側から像側へと順に、前群と後群とを備え、前記後群が、物体側から像側へと順に、後続第１レンズ群と、負のパワーを有し、無限遠合焦状態から近接物体合焦状態へのフォーカシングの際に光軸に沿って移動するフォーカシングレンズ群である後続第２レンズ群とを有し、前記フォーカシングレンズ群の像側に、少なくとも１つの正のパワーを有するレンズ群を備え、前記後続第１レンズ群が、負のパワーを有する第１Ｎサブレンズ群と、正のパワーを有する第１Ｐサブレンズ群とで構成され、広角端から望遠端へのズーミングの際に、前記第１Ｎサブレンズ群と前記第１Ｐサブレンズ群との間隔が変化せず、前記第１Ｐサブレンズ群が、像ぶれを光学的に補正するために光軸に対して垂直方向に移動する像ぶれ補正レンズ群であり、前記後群が、開口絞りをさらに備え、前記像ぶれ補正レンズ群が、該開口絞りよりも像側に配置される（以下、このレンズ構成を、実施の形態の基本構成という）ズームレンズ系は、以下の条件（１）を満足することが好ましい。
０．２＜｜ｆＦＲ１／ｆＷ｜＜１．２  ・・・（１）
ここで、
ｆＦＲ１：後続第１レンズ群の焦点距離、
ｆＷ：広角端における全系の焦点距離
である。
【００５８】
条件（１）は、後続第１レンズ群の焦点距離と広角端における全系の焦点距離との比を規定する。条件（１）が満足される場合、ズームレンズ系のレンズ全長を短く維持しながら、無限遠合焦状態から近接物体合焦状態へのフォーカシングの際に、フォーカシングレンズ群の移動量を小さくすることができる。条件（１）の上限を上回ると、フォーカシングの際のフォーカシングレンズ群の移動量を小さくすることはできるが、像ぶれ補正時の像ぶれ補正レンズ群の移動量が大きくなり、レンズ鏡筒の外径が大きくなる恐れがある。一方、条件（１）の下限を下回ると、像ぶれ補正レンズ群の移動量を小さくすることはできるが、フォーカシングレンズ群の移動量が大きくなるため、ズームレンズ系のレンズ全長を短く維持することが困難になる。
【００５９】
各実施の形態に係るズームレンズ系が、以下の条件（１）’及び（１）’’の少なくとも１つを満足する場合、前記有利な効果がさらに顕著に発揮される。
０．３＜｜ｆＦＲ１／ｆＷ｜  ・・・（１）’
｜ｆＦＲ１／ｆＷ｜＜１．１  ・・・（１）’’
【００６０】
例えば実施の形態１〜３に係るズームレンズ系のように、基本構成を有し、前群が、物体側から像側へと順に、正のパワーを有する第１レンズ群と、第２レンズ群とを少なくとも有するズームレンズ系は、以下の条件（２）を満足することが好ましい。
６．２＜｜ｆ１／ｆＦＲ｜＜７．１ ・・・（２）
ここで、
ｆ１：第１レンズ群の焦点距離、
ｆＦＲ：広角端における後群の合成焦点距離
である。
【００６１】
条件（２）は、ズームレンズ系において最物体側に配置される正のパワーを有するレンズ群、すなわち第１レンズ群の焦点距離と、後続第１レンズ群及び後続第２レンズ群の広角端における合成焦点距離との比を規定する。条件（２）が満足される場合、近接物体合焦状態での像ぶれ補正時の光学性能を良好に維持しながら、像ぶれ補正レンズ群及びフォーカシングレンズ群の小型化が可能になる。条件（２）の上限を上回ると、像ぶれ補正レンズ群及びフォーカシングレンズ群の敏感度が高くなり、像ぶれ補正時又はフォーカシング時に必要な位置制御の精度確保が困難になる。一方、条件（２）の下限を下回ると、光学性能を良好に維持するためにズームレンズ系全体を大型化する必要が生じる。
【００６２】
各実施の形態に係るズームレンズ系が、以下の条件（２）’及び（２）’’の少なくとも１つを満足する場合、前記有利な効果がさらに顕著に発揮される。
６．４＜｜ｆ１／ｆＦＲ｜ ・・・（２）’
｜ｆ１／ｆＦＲ｜＜６．９ ・・・（２）’’
【００６３】
例えば実施の形態１〜３に係るズームレンズ系のように、基本構成を有するズームレンズ系は、以下の条件（３）を満足することが好ましい。
０．０１＜ＤＩＦ／ｆＷ＜０．１６  ・・・（３）
ここで、
ＤＩＦ：広角端における、無限遠合焦状態での像ぶれ補正レンズ群とフォーカシングレンズ群との光軸上の間隔、
ｆＷ：広角端における全系の焦点距離
である。
【００６４】
条件（３）は、広角端における、像ぶれ補正レンズ群とフォーカシングレンズ群との間隔と全系の焦点距離との比を規定する。条件（３）が満足される場合、像ぶれ補正レンズ群の移動量及びフォーカシングレンズ群の移動量を小さくしてレンズ鏡筒の外径の小型化を図りながら、ズームレンズ系のレンズ全長を短くすることができる。条件（３）の上限を上回ると、ズームレンズ系のレンズ全長が長くなる恐れがある。一方、条件（３）の下限を下回ると、像ぶれ補正機構やフォーカシング機構を構成するアクチュエータ等の配置スペースが小さくなり、所望の構成を実現することが困難になる。
【００６５】
各実施の形態に係るズームレンズ系が、以下の条件（３）’及び（３）’’の少なくとも１つを満足する場合、前記有利な効果がさらに顕著に発揮される。
０．０１５＜ＤＩＦ／ｆＷ  ・・・（３）’
ＤＩＦ／ｆＷ＜０．１５０  ・・・（３）’’
【００６６】
例えば実施の形態１〜３に係るズームレンズ系のように、基本構成を有するズームレンズ系は、以下の条件（４）を満足することが好ましい。
０．１＜ｆＦＲ１Ｐ／ｆＷ＜７．５  ・・・（４）
ここで、
ｆＦＲ１Ｐ：第１Ｐサブレンズ群の焦点距離、
ｆＷ：広角端における全系の焦点距離
である。
【００６７】
条件（４）は、第１Ｐサブレンズ群の焦点距離と広角端における全系の焦点距離との比を規定する。条件（４）が満足される場合、像ぶれ補正レンズ群の移動量が小さくなり、ズームレンズ系の小型化が可能になる。条件（４）の上限を上回ると、像ぶれ補正レンズ群の移動量が大きくなり、レンズ鏡筒の外径を小さくすることが困難になる。一方、条件（４）の下限を下回ると、像面湾曲がオーバー方向に大きく発生し、光学性能を良好に維持することが困難になる。
【００６８】
各実施の形態に係るズームレンズ系が、以下の条件（４）’及び（４）’’の少なくとも１つを満足する場合、前記有利な効果がさらに顕著に発揮される。
０．２５＜ｆＦＲ１Ｐ／ｆＷ  ・・・（４）’
ｆＦＲ１Ｐ／ｆＷ＜７．３０  ・・・（４）’’
【００６９】
なお、各実施の形態に係るズームレンズ系の各レンズ群は、入射光線を屈折により偏向させる屈折型レンズ素子（すなわち、異なる屈折率を有する媒質同士の界面で偏向が行われるタイプのレンズ）のみで構成してもよい。あるいは、各レンズ群は、回折作用により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等のいずれか１種類又は複数種類の組み合わせによって構成してもよい。
【００７０】
（実施の形態４）
図１０は、実施の形態４に係るレンズ交換式デジタルカメラシステムの概略構成図である。
【００７１】
本実施の形態４に係るレンズ交換式デジタルカメラシステム１００（以下、単に「カメラシステム」という）は、カメラ本体１０１と、カメラ本体１０１に着脱自在に接続される交換レンズ装置２０１とを備える。
【００７２】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、前記実施の形態１〜３のいずれかに係るズームレンズ系２０２と、ズームレンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１０においては、ズームレンズ系２０２として実施の形態１に係るズームレンズ系を用いた場合を図示している。
【００７３】
本実施の形態４では、実施の形態１〜３のいずれかに係るズームレンズ系２０２を用いている。したがって、コンパクトで結像性能に優れた交換レンズ装置を低コストで実現することができる。また、本実施の形態４に係るカメラシステム１００全体の小型化及び低コスト化も達成することができる。
【００７４】
以下、前記各実施の形態に係るズームレンズ系を具体的に実施した数値実施例を説明する。後述するように、数値実施例１、２及び３は、それぞれ実施の形態１、２及び３に対応する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。
【００７５】
図２、５及び８は、それぞれ数値実施例１、２及び３に係るズームレンズ系の無限遠合焦状態の縦収差図である。
【００７６】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００７７】
図３、６及び９は、それぞれ数値実施例１、２及び３に係るズームレンズ系の望遠端における、像ぶれ補正を行っていない基本状態及び像ぶれ補正状態での横収差図である。
【００７８】
各横収差図において、上段３つの収差図は、望遠端における像ぶれ補正を行っていない基本状態、下段３つの収差図は、後続第１レンズ群に含まれる像ぶれ補正レンズ群（第１Ｎサブレンズ群）を光軸と垂直な方向に所定量移動させた望遠端における像ぶれ補正状態にそれぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を第１レンズ群Ｇ１の光軸を含む平面としている。
【００７９】
各数値実施例のズームレンズ系の像ぶれ補正状態において、望遠端における、像ぶれ補正レンズ群の光軸と垂直な方向への移動量（ＹＴ（ｍｍ））は、以下の表１に示すとおりである。像ぶれ補正角は、０．３°である。すなわち、以下に示す像ぶれ補正レンズ群の移動量は、ズームレンズ系の光軸が０．３°傾いた時の像偏心量に等しい。
【００８０】
表  １（像ぶれ補正レンズ群の移動量）
数値実施例    移動量ＹＴ（ｍｍ）
１            ０．５１１
２            ０．９１２
３            ０．５１４
【００８１】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【００８２】
（数値実施例１）
数値実施例１のズームレンズ系は、図１に示した実施の形態１に対応する。数値実施例１のズームレンズ系の面データを表２に、各種データを表３に、単レンズデータを表４に、ズームレンズ群データを表５に、ズームレンズ群倍率を表６に示す。
【００８３】
表  ２（面データ）
面番号         r           d           nd         vd                
物面             ∞                                               
1         87.86910     5.64140     1.48749    70.4               
2      -1474.91620     1.16040                                   
3         62.11310     1.30000     1.83400    37.3               
4         41.36780     7.94500     1.49700    81.6               
5        203.46370        可変                                   
6       -126.16510     0.80000     1.74000    31.7               
7         33.29710     2.39920     1.94595    18.0               
8        125.52300        可変                                   
9        145.49070     1.61040     1.68500    49.2               
10       -272.51710     0.80010     1.66680    33.1               
11         27.64250    13.31430                                   
12         42.19520     3.36860     1.68250    44.4               
13       -203.14900        可変                                   
14(絞り)           ∞     0.98580                                   
15         35.67600     0.80000     1.90681    21.2               
16         20.02200     4.65470     1.54250    62.9               
17       -101.42410     0.20000                                   
18         78.82490     1.71450     1.64250    58.1               
19      -2496.60910        可変                                   
20               ∞     0.80000     1.91082    35.2               
21         25.09690     0.86920                                   
22       -289.28960     1.13820     1.94595    18.0               
23        -39.66560     0.80000     1.83481    42.7               
24        126.04190     1.49400                                   
25         29.75250     1.80290     1.78590    43.9               
26        280.89300     2.12520                                   
27       -325.68330     0.80010     1.91082    35.2               
28         27.06130     3.14680     1.64769    33.8               
29        -21.60530     2.81770                                   
30        -18.78080     0.80000     1.91082    35.2               
31        308.35180        可変                                   
32               ∞     3.06490     1.94595    18.0               
33        -58.36820        (BF)                                       
像面             ∞                                               
【００８４】
表  ３（各種データ）
ズーム比     2.82629
広角      中間      望遠
焦点距離     102.9396  173.1271  290.9371
Ｆナンバー     4.10028   5.20010   5.77061
画角         5.8815    3.5258    2.1160
像高        10.8150   10.8150   10.8150
レンズ全長    141.7744  166.7451  187.1021
ＢＦ       16.01159  16.04420  16.02348
d5          11.1878   36.2227   56.5340 
d8           5.5157    8.8553    6.4361 
d13         21.0784   10.2667    2.0018 
d19         14.1713    8.5166    1.4697 
d31          7.4562   20.4862   38.2836 
入射瞳位置     93.7628  210.1606  403.3256
射出瞳位置    -38.9767  -85.7525 -324.8658
前側主点位置    3.9965   88.8480  445.9580
後側主点位置   38.8347   -6.3820 -103.8350
【００８５】
表  ４（単レンズデータ）
レンズ     始面     焦点距離
1         1      170.3150
2         3     -152.8675
3         4      102.8047
4         6      -35.5249
5         7       47.3100
6         9      138.6869
7        10      -37.5978
8        12       51.4782
9        15      -51.5736
10        16       31.2437
11        18      118.9601
12        20      -27.5542
13        22       48.4879
14        23      -36.0617
15        25       42.2097
16        27      -27.4020
17        28       19.0323
18        30      -19.4132
19        32       61.7036
【００８６】
表  ５（ズームレンズ群データ）
群   始面    焦点距離  レンズ構成長    前側主点位置  後側主点位置
1      1   112.15176    16.04680        -0.49017       4.80301
2      6  -138.56834     3.19920         1.36989       2.88302
3      9   192.27862    19.09340        51.50379      66.50885
4     14    48.32737     8.35500         3.01023       5.60482
5     20   -17.19742    16.59410         5.81345      12.08001
6     32    61.70359     3.06490         1.57502       3.06490
【００８７】
表  ６（ズームレンズ倍率）
群   始面    広角       中間       望遠
1      1    0.00000    0.00000    0.00000
2      6    2.75933    1.84137    1.45000
3      9    0.50769    0.77472    0.97912
4     14    0.29058    0.38422    0.51008
5     20    3.04494    3.80608    4.83876
6     32    0.74051    0.73998    0.74032
【００８８】
（数値実施例２）
数値実施例２のズームレンズ系は、図４に示した実施の形態２に対応する。数値実施例２のズームレンズ系の面データを表７に、各種データを表８に、単レンズデータを表９に、ズームレンズ群データを表１０に、ズームレンズ群倍率を表１１に示す。
【００８９】
表  ７（面データ）
面番号         r           d           nd         vd                
物面             ∞                                               
1         81.96940     5.70260     1.49700    81.6               
2               ∞     1.23620                                   
3         65.28570     1.30000     1.85135    40.1               
4         42.37910     7.94500     1.49700    81.6               
5        222.88530        可変                                   
6        -99.74180     0.80000     1.74950    35.0               
7         38.00000     5.30140     1.94595    18.0               
8        158.02250        可変                                   
9        156.86110     2.16100     1.67790    53.4               
10        -64.83070     1.35930                                   
11        -62.10050     0.85670     1.66680    33.1               
12         31.69600        可変                                   
13         45.94270     3.08940     1.71300    53.9               
14       -326.07940        可変                                   
15(絞り)           ∞     0.20000                                   
16         38.63140     0.80000     1.84400    24.8               
17         20.65840     5.10790     1.56384    60.8               
18        -92.02870     0.20000                                   
19         63.54430     1.53010     1.83400    37.3               
20        141.29540        可変                                   
21        212.90190     0.83660     1.92286    20.9               
22        309.28800     1.49940                                   
23               ∞     0.80000     1.91082    35.2               
24         30.08660     0.70740                                   
25        361.51790     1.28610     1.94595    18.0               
26        -59.83240     0.20000                                   
27        -47.69660     1.34920     1.91082    35.2               
28       -161.39320        可変                                   
29         84.10880     0.80000     1.91082    35.2               
30         21.37910     3.05940     1.64831    33.8               
31        -23.56930     1.28990                                   
32        -22.55280     1.70910     1.91082    35.2               
33         56.48280        可変                                   
34        391.81150     6.00000     1.84666    23.9               
35        -55.38250        (BF)                                       
像面             ∞                                               
【００９０】
表  ８（各種データ）
ズーム比     2.82285
広角      中間      望遠
焦点距離     103.0633  173.1262  290.9321
Ｆナンバー     4.21382   5.20034   5.77016
画角         5.8529    3.5139    2.1119
像高        10.8150   10.8150   10.8150
レンズ全長    144.0794  170.7015  194.3387
ＢＦ       16.38450  16.37607  16.36829
d5           6.0139   32.7026   56.4520 
d8           6.7792    7.0703    4.6603 
d12         12.6197   14.0183   16.1156 
d14         19.9259    8.4175    1.4945 
d20         14.2471    7.6637    0.7938 
d28          2.1908    5.3654    1.9895 
d33          8.7916   21.9609   39.3380 
入射瞳位置     85.0150  183.5912  424.5809
射出瞳位置    -45.0268 -114.5479 -604.7548
前側主点位置   15.1128  127.7855  579.2413
後側主点位置   41.0161   -2.4247  -96.5934
【００９１】
表  ９（単レンズデータ）
レンズ     始面     焦点距離
1         1      164.9293
2         3     -145.6755
3         4      103.7735
4         6      -36.6222
5         7       51.7783
6         9       67.9355
7        11      -31.3571
8        13       56.6742
9        16      -53.7048
10        17       30.4191
11        19      137.2342
12        21      737.2031
13        23      -33.0323
14        25       54.3503
15        27      -74.7575
16        29      -31.6644
17        30       17.7675
18        32      -17.5148
19        34       57.6667
【００９２】
表  １０（ズームレンズ群データ）
群   始面    焦点距離  レンズ構成長    前側主点位置  後側主点位置
1      1   114.90049    16.18380        -0.71362       4.62928
2      6  -119.45015     6.10140         1.98802       4.93369
3      9   -61.74307     4.37700         5.00355       6.09115
4     13    56.67420     3.08940         0.22350       1.50314
5     15    46.76847     7.83800         2.09867       4.92518
6     21   -42.37981     6.67870         2.28246       4.30698
7     29   -34.92877     6.85840         5.43900       7.69768
8     34    57.66669     6.00000         2.86435       5.59513
【００９３】
表  １１（ズームレンズ倍率）
群   始面    広角       中間       望遠
1      1    0.00000    0.00000    0.00000
2      6    4.95519    2.35162    1.60241
3      9   -0.15523   -0.71407  100.06942
4     13   -2.19819   -0.91877    0.00920
5     15    0.22879    0.32612    0.47849
6     21    1.64556    1.78650    1.76740
7     29    1.98778    2.36433    2.86139
8     34    0.70885    0.70900    0.70914
【００９４】
（数値実施例３）
数値実施例３のズームレンズ系は、図７に示した実施の形態３に対応する。数値実施例３のズームレンズ系の面データを表１２に、各種データを表１３に、単レンズデータを表１４に、ズームレンズ群データを表１５に、ズームレンズ群倍率を表１６に示す。
【００９５】
表  １２（面データ）
面番号         r           d           nd         vd                
物面             ∞                                               
1         98.26860     5.38970     1.48749    70.4               
2       -804.92740     0.29590                                   
3         60.52310     1.30000     1.88202    37.2               
4         42.33030     7.94500     1.49700    81.6               
5        253.68420        可変                                   
6       -119.87650     0.80000     1.72825    28.3               
7         33.16770     1.26450                                   
8         36.92200     4.14620     1.94595    18.0               
9        329.33030        可変                                   
10       -801.43510     0.80020     1.67791    55.5               
11         29.31790     9.16030                                   
12         35.10390     4.99740     1.68248    48.2               
13       -230.67440        可変                                   
14         37.33590     0.85850     1.94595    18.0               
15         19.97390     2.53900                                   
16        156.34870     2.25610     1.59240    68.4               
17       -256.95390     0.35620                                   
18         22.74140     5.48500     1.54250    62.9               
19        -51.25900        可変                                   
20(絞り)           ∞     1.48660                                   
21        186.36160     0.80000     1.91082    35.2               
22         23.63780     2.23670                                   
23        -49.82820     1.05860     1.94595    18.0               
24        -24.98040     0.80000     1.85030    32.2               
25       -131.71400     2.67200                                   
26         36.56610     2.83780     1.75670    36.3               
27       -133.30800        可変                                   
28       -167.48070     0.80010     1.91082    35.2               
29         23.53320     2.56220     1.64831    33.8               
30        -22.33700     3.77870                                   
31        -18.74390     0.80050     1.91082    35.2               
32        246.08600        可変                                   
33      -1055.73170     5.26480     1.94595    18.0               
34        -50.11500        (BF)                                       
像面             ∞                                               
【００９６】
表  １３（各種データ）
ズーム比     2.82489
広角      中間      望遠
焦点距離     102.9898  173.1271  290.9352
Ｆナンバー     4.21434   5.20002   5.77048
画角         5.8727    3.5265    2.1227
像高        10.8150   10.8150   10.8150
レンズ全長    142.8956  167.5002  188.1054
ＢＦ       14.20643  14.23461  14.22276
d5           8.0933   32.7338   53.3340 
d9           5.9925    1.9310    6.5429 
d13         15.2912   13.4249    1.5006 
d19         11.8476    8.8075    1.4568 
d27          8.6848    1.6182    1.5967 
d32          6.0878   22.0582   36.7596 
入射瞳位置    115.6088  237.3693  445.1504
射出瞳位置    -36.0160 -100.9390 -564.1985
前側主点位置    7.4003  150.2546  589.7505
後側主点位置   39.9059   -5.6269 -102.8298
【００９７】
表  １４（単レンズデータ）
レンズ     始面     焦点距離
1         1      180.0008
2         3     -165.1909
3         4      100.9704
4         6      -35.5955
5         8       43.6594
6        10      -41.7051
7        12       44.9853
8        14      -46.5254
9        16      164.4182
10        18       29.8146
11        21      -29.7918
12        23       51.8822
13        24      -36.3795
14        26       38.1961
15        28      -22.6090
16        29       18.0735
17        31      -19.0950
18        33       55.4778
【００９８】
表  １５（ズームレンズ群データ）
群   始面    焦点距離  レンズ構成長    前側主点位置  後側主点位置
1      1   107.85872    14.93060        -0.15256       5.01059
2      6  -223.07827     6.21070        -5.24540      -3.05005
3     10   298.16034    14.95790        63.90565      80.79595
4     14    46.51208    11.49480         9.30844      13.17664
5     20  -103.33378    11.89170       -13.86038     -15.44545
6     28   -26.32686     7.94150         6.31351       8.13827
7     33    55.47778     5.26480         2.83314       5.39929
【００９９】
表  １６（ズームレンズ倍率）
群   始面    広角       中間       望遠
1      1    0.00000    0.00000    0.00000
2      6    1.74297    1.46158    1.28777
3     10    0.77496    0.91451    1.05489
4     14    0.30037    0.40408    0.54607
5     20    1.54004    1.50016    1.51660
6     28    2.04754    2.65609    3.21370
7     33    0.74635    0.74584    0.74606
【０１００】
以下の表１７に、各数値実施例のズームレンズ系における各条件の対応値を示す。
【０１０１】
表  １７（条件の対応値）
【表１】
0005942235.tif 000002
【産業上の利用可能性】
【０１０２】
本発明に係るズームレンズ系は、デジタルスチルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【０１０３】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｇ７    第７レンズ群
Ｇ８    第８レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ｌ１８  第１８レンズ素子
Ｌ１９  第１９レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【図１】
0005942235.tif 000003
【図２】
0005942235.tif 000004
【図３】
0005942235.tif 000005
【図４】
0005942235.tif 000006
【図５】
0005942235.tif 000007
【図６】
0005942235.tif 000008
【図７】
0005942235.tif 000009
【図８】
0005942235.tif 000010
【図９】
0005942235.tif 000011
【図１０】
0005942235.tif 000012